【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
電話網を介してファクシミリ通信を実行するファクシミリ通信手段と、
インターネットを経由してＥメール通信手順に従って画像データを添付ファイルとしたＥメールデータの通信を行うＥメール通信を行うＥメール通信手段と、
前記ファクシミリ通信手段によって通信相手と交換する手順信号中に、前記Ｅメール通信手段によって画像データを添付ファイルとしたＥメールデータを受信するためのＥメールアドレスを設定する設定手段とを有し、
前記ファクシミリ通信手段は、通信相手からの発呼を受け、当該通信相手とファクシミリ通信を行う際に前記設定手段で設定したＥメールアドレスを含む手順信号を送出することを特徴とするインターネットファクシミリ装置。
【請求項２】
前記設定手段は、さらに、自装置がインターネットファクシミリ機能を有するか否かを示す情報を手順信号中に設定することを特徴とする請求項１に記載のインターネットファクシミリ装置。
【請求項３】
前記インターネットファクシミリ機能は、ＥメールデータとしてＴＩＦＦを添付ファイルとしたものを送受信する機能であることを特徴とする請求項２に記載のインターネットファクシミリ装置。
【請求項４】
前記ファクシミリ通信手段または前記Ｅメール通信手段で受信した画像データを印刷する印刷手段を有し、前記印刷手段は、前記Ｅメール通信手段で受信したＥメールデータを印刷する際、添付されているファイルを画像データに変換し、この画像データを印刷することを特徴とする請求項１乃至３のいずれかに記載のインターネットファクシミリ装置。
【請求項５】
前記ファクシミリ通信手段は、Ｇ３ファクシミリ手順またはＧ４ファクシミリ手順に従ってファクシミリ通信を実行することを特徴とする請求項１乃至４のいずれかに記載のインターネットファクシミリ装置。
【請求項６】
通信相手に関する情報を記憶する記憶手段と、前記ファクシミリ通信手段によって通信相手からＥメールアドレスを取得する取得手段とを有し、前記記憶手段は前記取得手段で取得したＥメールアドレスを記憶することを特徴とする請求項１乃至５のいずれかに記載のインターネットファクシミリ装置。
【請求項７】
前記記憶手段は共通の通信相手に対し、前記ファクシミリ通信手段で通信を行うための電話番号及び前記Ｅメール通信手段を記憶することを特徴とする請求項６に記載のインターネットファクシミリ装置。
【請求項８】
電話網を介してファクシミリ通信を実行するファクシミリ機能と、インターネットを経由してＥメール通信手順に従って画像データを添付ファイルとしたＥメールデータの通信を行うＥメール通信を行うＥメール通信機能とを有するインターネットファクシミリ装置によるインターネットアドレスの報知方法であって、
前記ファクシミリ機能によって通信相手と交換する手順信号中に、前記Ｅメール通信機能によって前記インターネットファクシミリ装置が画像データを添付ファイルとしたＥメールデータを受信するためのＥメールアドレスを設定する設定工程と、
前記ファクシミリ機能によって通信相手からの発呼を受け、当該通信相手とファクシミリ通信を行う際に前記設定工程で設定したＥメールアドレスを含む手順信号を送出する工程とを有することを特徴とするインターネットアドレスの報知方法。
【請求項９】
電話網を介してファクシミリ通信を実行するファクシミリ機能と、インターネットを経由してＥメール通信手順に従って画像データを添付ファイルとしたＥメールデータの通信を行うＥメール通信を行うＥメール通信機能とを有するインターネットファクシミリ装置において、インターネットアドレスの報知プログラムを含む制御プログラムをコンピュータ読出し可能に格納する記憶媒体であって、
前記報知プログラムが、
前記ファクシミリ機能によって通信相手と交換する手順信号中に、前記Ｅメール通信機能によって前記インターネットファクシミリ装置が画像データを添付ファイルとしたＥメールデータを受信するためのＥメールアドレスを設定する設定工程と、
前記ファクシミリ機能によって通信相手からの発呼を受け、当該通信相手とファクシミリ通信を行う際に前記設定工程で設定したＥメールアドレスを含む手順信号を送出する工程とを有することを特徴とする記憶媒体。
【手続補正２】
【補正対象書類名】明細書
【補正対象項目名】０００６
【補正方法】変更
【補正の内容】
【０００６】
【課題を解決するための手段】
前記目的を達成するために、本発明のインターネットファクシミリ装置は、電話網を介してファクシミリ通信を実行するファクシミリ通信手段と、インターネットを経由してＥメール通信手順に従って画像データを添付ファイルとしたＥメールデータの通信を行うＥメール通信を行うＥメール通信手段と、前記ファクシミリ通信手段によって通信相手と交換する手順信号中に、前記Ｅメール通信手段によって画像データを添付ファイルとしたＥメールデータを受信するためのＥメールアドレスを設定する設定手段とを有し、前記ファクシミリ通信手段は、通信相手からの発呼を受け、当該通信相手とファクシミリ通信を行う際に前記設定手段で設定したＥメールアドレスを含む手順信号を送出することを特徴とする。
【手続補正３】
【補正対象書類名】明細書
【補正対象項目名】０００７
【補正方法】変更
【補正の内容】
【０００７】
ここで、前記設定手段は、さらに、自装置がインターネットファクシミリ機能を有するか否かを示す情報を手順信号中に設定する。また、前記インターネットファクシミリ機能は、ＥメールデータとしてＴＩＦＦを添付ファイルとしたものを送受信する機能である。また、前記ファクシミリ通信手段または前記Ｅメール通信手段で受信した画像データを印刷する印刷手段を有し、前記印刷手段は、前記Ｅメール通信手段で受信したＥメールデータを印刷する際、添付されているファイルを画像データに変換し、この画像データを印刷する。また、前記ファクシミリ通信手段は、Ｇ３ファクシミリ手順またはＧ４ファクシミリ手順に従ってファクシミリ通信を実行する。また、通信相手に関する情報を記憶する記憶手段と、前記ファクシミリ通信手段によって通信相手からＥメールアドレスを取得する取得手段とを有し、前記記憶手段は前記取得手段で取得したＥメールアドレスを記憶する。また、前記記憶手段は共通の通信相手に対し、前記ファクシミリ通信手段で通信を行うための電話番号及び前記Ｅメール通信手段を記憶する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
又、本発明のインターネットファクシミリ装置によるインターネットアドレスの報知方法は、電話網を介してファクシミリ通信を実行するファクシミリ機能と、インターネットを経由してＥメール通信手順に従って画像データを添付ファイルとしたＥメールデータの通信を行うＥメール通信を行うＥメール通信機能とを有するインターネットファクシミリ装置によるインターネットアドレスの報知方法であって、前記ファクシミリ機能によって通信相手と交換する手順信号中に、前記Ｅメール通信機能によって前記インターネットファクシミリ装置が画像データを添付ファイルとしたＥメールデータを受信するためのＥメールアドレスを設定する設定工程と、前記ファクシミリ機能によって通信相手からの発呼を受け、当該通信相手とファクシミリ通信を行う際に前記設定工程で設定したＥメールアドレスを含む手順信号を送出する工程とを有することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
又、本発明の記憶媒体は、電話網を介してファクシミリ通信を実行するファクシミリ機能と、インターネットを経由してＥメール通信手順に従って画像データを添付ファイルとしたＥメールデータの通信を行うＥメール通信を行うＥメール通信機能とを有するインターネットファクシミリ装置において、インターネットアドレスの報知プログラムを含む制御プログラムをコンピュータ読出し可能に格納する記憶媒体であって、前記報知プログラムが、前記ファクシミリ機能によって通信相手と交換する手順信号中に、前記Ｅメール通信機能によって前記インターネットファクシミリ装置が画像データを添付ファイルとしたＥメールデータを受信するためのＥメールアドレスを設定する設定工程と、前記ファクシミリ機能によって通信相手からの発呼を受け、当該通信相手とファクシミリ通信を行う際に前記設定工程で設定したＥメールアドレスを含む手順信号を送出する工程とを有することを特徴とする。
【手続補正９】
【補正対象書類名】明細書
【補正対象項目名】００７３
【補正方法】変更
【補正の内容】
【００７３】
以上のように、本実施形態によれば、（１）Ｇ３ファクシミリモードにおいて、互いにインターネットＦＡＸ機能の有無を知ることができ、又、（２）Ｇ３ファクシミリモードにおいて、互いにインターネットアドレスを伝えることが出来るようにすることで、インターネットアドレスの受信後には、同じ宛先への送信時に、ＬＡＮに接続して通信費の不要なインターネットＦＡＸモードに切り替えて送信することの出来る、Ｇ３ファクシミリ機能及びインターネットＦＡＸ機能を有するインターネットＦＡＸ装置を提供できる。
【手続補正１０】
【補正対象書類名】明細書
【補正対象項目名】００７４
【補正方法】変更
【補正の内容】
【００７４】
更に、Ｇ３ファクシミリモードでインターネットアドレスを受信し、受信したインターネットアドレスを管理することの出来る、Ｇ３ファクシミリ機能及びインターネットＦＡＸ機能を有するインターネットＦＡＸ装置を提供できる。
【発明の効果】
以上のように、本発明によれば、通信相手からの発呼を受けた際、ファクシミリ通信で用いる手順信号によって自装置が画像データを添付ファイルとしたＥメールデータを受信するためのＥメールアドレスを送出するので、既存のファクシミリ通信で使用可能な手順信号を用いてＥメールアドレスを報知することができ、これを受けた通信相手は以降の通信においてこのＥメールアドレスを用いて画像データを送信することが可能となる。